(57)【要約】【課題】卓上、壁掛けの何れの方法で使用する場合においても、コードレス子機の充電用接点と親電話機充電台の充電端子との間で十分な接触圧を得るとともに、親電話機充電台の充電端子の突出量を減らして外力によるばね端子の変形不具合を防止する。【解決手段】受話部１２の内側方向の端面１２ａに壁掛用の係止穴１３と、送話部１４の外側方向の端面１４ａに充電用接点１５とを有するコードレス子機１１と、送話部受部１８の外側端面１８ａに弾性的に配置されて充電用接点１５に接触可能な充電用ばね端子１９および受話部受部１６に抜き差し可能な壁掛用の子機係止部材２０を有する充電台１７とを備え、受話部受部１６の内側方向の端面１６ａに壁掛用の子機係止部材２０を係合するための第１位置穴２１と、外側方向の端面１６ｂに第１位置とは異なる向きに係合するための第２位置穴２２とを設けて壁掛用の子機係止部材２０を使用状態により選択的に抜き差し可能に取り付けた。【選択図】図１
0003117985.tif 000002
【実用新案登録請求の範囲】
【請求項１】
送話部の外側方向の端面に充電用接点を有し、かつ受話部の内側方向の端面に壁掛用の係止穴を有するコードレス子機と、前述コードレス子機の送話部のための送話部受部外側方向の端面に弾性的に配置されて前記充電用接点に接触可能な充電端子を有する充電台とを備え、子機の係止部材を充電台の受話部受部に設けられた穴に抜き差し可能に取り付けて壁掛用として使用する第１位置と、卓上用として使用する第２位置を選択的に取り得る係合穴を有するコードレス電話機において、子機の係合部材は、前述の第１位置に係合した場合は子機の受話部内側方向の端面に設けた壁掛用の係止穴に係合し子機を壁掛け状態で係止し、第２位置に係合した場合は充電台の受話部受部外側端面と子機との隙間を埋め、卓上用として使用する際に子機を充電台の送話部受部外側端面の充電端子に押し付ける補助部材としての機能を有するコードレス電話機。
【考案の詳細な説明】
【技術分野】
【０００１】
本考案は、コードレス子機および子機載置用の充電台を備え、卓上用と壁掛用とに兼用可能なコードレス電話機に関する。
【背景技術】
【０００２】
図３は従来のコードレス電話機の構成を示している。図３において、充電可能な蓄電池を内蔵するコードレス子機１１は、受話部の内側方向の端面にこのコードレス電話機を壁掛用として使用する場合に用いる係止穴１３と、送話部の外側方向の端面に充電用接点１５とが設けられている。一方、親電話機は充電回路を内蔵し、子機載置用充電台１７の子機送話部外側の端面１４ａと接触する端面１８ａには、子機の蓄電池を充電するためのばね端子１９と、この電話機を壁掛用として使用する場合に用いる子機係止部材を挿入、固定するための穴２１が充電台の受話側に設けられている。
【０００３】
前記従来の例において、親電話機の子機載置用充電台１７の受話部外側端面１６ｂと送話部外側端面１８ａに設けた充電用ばね端子１９の先端の距離は、コードレス子機１１の受話部外側端面１２ｂと子機送話部外側端面１４ａに設けた充電用接点１５との距離よりも短いため、このコードレス子機１１を充電台１７に載置した場合、コードレス子機１１の充電用接点１５と充電台１７の充電用ばね端子１９が接触して、充電台１７からコードレス子機１１に充電電流が供給され、コードレス子機１１の充電池が充電される。また、このコードレス電話機を壁掛用として用いる場合は、親電話機充電台１７に設けられた係止部材用の係合穴２１に子機係止部材２０を挿入して係合する。子機係止部材２０はコードレス子機１１の受話部内側方向の端面１２ａに設けた係止穴１３に挿入され、コードレス子機１１を壁掛けの状態で係止することができる。
【０００４】
図４は従来のコードレス電話機の構成において、充電台と子機受話部の寸法関係を示している。図４において、コードレス子機１１の壁掛用の子機係止部材２０を充電台１７に係合した状態において、親電話機の充電台１７の受話部外側端面１６ｂと子機の受話部外側端面１２ｂの間には子機の壁掛用係止穴１３と壁掛用の子機係止部材２０のかん合長さＤ１と同じ隙間を有するため、コードレス子機１１を一旦受話部方向へ持ち上げ係止穴１３と壁掛用の子機係止部材２０の係合を外し、次に手前側へ引いて充電台１７より容易に取り外すことができる。
【考案の開示】
【考案が解決しようとする課題】
【０００５】
図４においてコードレス電話機が卓上設置専用の電話機である場合は、前述のように壁掛用として使用する場合に一旦子機を受話部方向へ持ち上げて係止部材との係合を外すといった操作は必要無いが、壁掛け設置を兼用する場合は、子機を受話部方向へ一旦係止穴と係止部材のかん合長さＤ１の分だけ持ち上げる操作が必要なため、充電台の受話部受部にはこのＤ１と同じ長さの隙間が卓上設置専用の場合より余分に必要である。
【０００６】
壁掛用として使用する場合は、子機は自重によって充電台の送話側つまり充電端子側へ寄せられることとなり、子機の充電接点は充電端子に押し付けられるが、卓上用として使用する場合は、子機が自重によって同様に充電台の充電端子側へ押し付けられることは期待できない。
【０００７】
充電台の送話部外側端面からの充電端子の突出量は、子機が充電台の受話部外側端面へ密着する位置に載置された場合においても、充電台の充電端子と子機の充電接点を接触させるに十分なものでなくてはならない。よって、前述のように子機の係止穴と係止部材のかん合長さＤ１の分だけ子機と充電台の受話部受部との距離が長いから同じくＤ１と等しい分だけ充電台の充電端子の突出量を大きくする必要が生じる。このため充電端子は外的な力によって曲がりなどの変形が起こり易くなり、端子同士の十分な接触圧が得られず導通が不十分になるという問題があった。
【０００８】
本考案は、このような従来の問題を解決するものであり、卓上用壁掛用のいずれの場合においてもコードレス子機の充電用接点と親電話機充電台の充電端子との間で常に確実な接触圧を得ると共に、親電話機の充電端子の突出量を減らすことで外力による変形に起因する端子同士の接触圧が十分に得られなくなる不具合を防止し、信頼性の高いコードレス電話機を提供することを目的とする。
【課題を解決するための手段】
【０００９】
本考案は上記目的を達成するために、親電話機の充電台に子機係止部材の係合位置を２箇所設け、第１位置に係合した場合は、従来の例に同じくこの子機係止部材は電話機を壁掛用として使用する際の子機係合手段として機能するが、第２位置に係合した場合は、子機係止部材は充電台の受話部受部外側端面と子機との隙間を埋め、この電話機を卓上用として使用する際に子機を充電台の送話部受部外側端面の充電端子に押し付ける補助部材として機能するものである。
【考案の効果】
【００１０】
子機係止部材を充電台の第１位置穴に係合して本考案のコードレス電話機を壁掛用として使用する場合には、子機を充電台より容易に取り外すことができるように親電話機の充電台の受話部外側端面と子機の受話部外側端面の間には子機の壁掛用係止穴と係止部材のかん合長さと同じ隙間を有するが、卓上用として使用する場合には子機係止部材を第一位置穴より取り外して第２位置穴に係合することにより、この係止部材が充電台の受話部外側端面と子機の受話部外側端面の隙間をうめて子機を充電台の送話部受部外側端面の充電端子に押し付ける補助部材として機能する。このため、従来例の課題に示すように子機が充電台の受話部外側端面まで移動することが無くなるため、充電台の充電端子の凸量を卓上用専用の場合に比べて増やす必要が無く、従来の卓上壁掛兼用コードレス電話機に比べて充電端子の凸量を少なくすることができる。即ち外力による充電端子の変形が生じにくいという効果を有する。
【考案を実施するための最良の形態】
【００１１】
図１は本考案の実施例の構成において壁掛け使用状態を示す概略断面図である。図１において、１１は充電可能な蓄電池を内蔵する子機であり、受話部の内側方向の端面１２ａにこのコードレス電話機を壁掛用として使用する場合に用いる係止穴１３と、送話部の外側方向の端面に充電用接点１５とを有している。一方１７は充電回路を内蔵しその上面に充電台を有する親電話機であり、充電台の送話部受部１８の外側方向端面１８ａには、充電端子穴２３を通じて子機の蓄電池を充電するための充電用ばね端子１９が突出されている。また受話部受部１６の内側方向の端面１６ａには、壁掛用の子機係止部材２０を装着するための第１位置穴２１と、外側方向の端面１６ｂに第２位置穴２２とが設けられており、本コードレス電話機の使用状態により選択的に抜き差し可能としている。
【００１２】
この電話機を壁掛用として使用する場合は、壁掛用の子機係止部材２０を前記の第１位置穴２１に装着することにより、コードレス子機１１が自重によって送話部方向へ移動する際に係止穴１３と壁掛用の子機係止部材２０が係合され、コードレス子機１１は壁掛け状態にて保持され、かつ子機の充電用接点１５と充電台１７の充電用ばね端子１９が接触し、充電台１７よりコードレス子機１１へ充電電流が供給される。このとき、第２位置穴２２には何も装着されていないため、充電台１７の受話部受部１６の外側端面１６bとコードレス子機１１の受話部外側端面１２bとの間には隙間があるため、容易に引っかかり無くコードレス子機１１を取り外すことができる。
【００１３】
図２は本考案の実施例の構成において卓上使用状態を示す概略断面図である。図２において、この電話機を卓上用として使用する場合は、壁掛用の子機係止部材２０を第２位置穴２２に装着することにより、壁掛用の子機係止部材２０が充電台１７の受話部受部１６の外側端面１６bとコードレス子機１１の受話部外側端面１２bとの隙間を埋める補助部材として機能し、コードレス子機１１は受話部受部１６の外側端面１６bまで移動することが無くなる。よって、コードレス子機１１が受話部受部１６の外側端面１６bまで移動した場合においても充電用接点１５と充電用ばね端子１９の十分な接触を保つために充電用ばね端子１９の穴２３からの突出量を増やす必要は無い。
【００１４】
このように、ひとつの壁掛用の子機係止部材２０に対して、電話機の壁掛けあるいは卓上という２つの使用状態に応じた２つの機能を持たせ、壁掛時に子機係止部材として機能する際には第１位置穴に装着することによって他方の機能である隙間を埋める補助部材としての機能を無くし、また卓上用として使用する場合には第２位置穴に装着することによって隙間を埋める補助部材として機能し、他方の壁掛用の係止部材としての機能を無くすことによって前述の効果が得られるものである。
【図面の簡単な説明】
【００１５】
【図１】本考案の実施例におけるコードレス電話機を壁掛用として使用する場合を示した概略断面図である。
【図２】本考案のコードレス電話機を卓上用として使用する場合を示した概略断面図である。
【図３】従来のコードレス電話機の構成を示した概略断面図である。
【図４】従来のコードレス電話機の構成において、充電台と子機受話部の寸法関係を示した概略断面図である。
【符号の説明】
【００１６】
１１  コードレス子機
１２  受話部
１２ａ  内側端面
１２ｂ  外側端面
１３  係止穴
１４  送話部
１４ａ  外側端面
１５  充電用接点
１６  受話部受部
１６ａ  内側端面
１６ｂ  外側端面
１７  充電台
１８  送話部受部
１８ａ  外側端面
１９  充電用ばね端子
２０  壁掛用の子機係止部材
２１  第１位置の係合穴
２２  第２位置の係合穴
２３  充電端子穴
【図１】
0003117985.tif 000003
【図２】
0003117985.tif 000004
【図３】
0003117985.tif 000005
【図４】
0003117985.tif 000006